(57)【要約】【課題】フラットベッドの搬送方向上流側の端部とリアエプロンの搬送方向下流側の端部との間にグリッドローラーが配置されるプラテン装置において、簡潔な構成よりリアエプロンを容易に取り付けることのできるプラテン装置を提供する。【解決手段】メディアが配置されるベッドと、そのベッドへメディアを案内するリアエプロンと、ベッドのメディアの搬送方向上流側の端部とリアエプロンのメディアの搬送方向下流側の端部との間に配置されメディアを搬送方向に搬送するグリッドローラーとを備えたプラテン装置であって、グリッドローラーを回転自在に支持する支持部材を備え、その支持部材は、その支持部材における搬送方向上流側端部に設けられるリアエプロン支持部を備え、リアエプロンは、リアエプロン支持部と係合する差し込み部を備え、リアエプロンの差し込み部を支持部材に係合して、支持部材にリアエプロンを支持させる。【選択図】        図３
2018008460.tif 000002
【特許請求の範囲】
【請求項１】
メディアが配置されるベッドと、そのベッドへ前記メディアを案内するリアエプロンと、前記ベッドのメディアの搬送方向上流側の端部と前記リアエプロンの前記メディアの搬送方向下流側の端部との間に配置され前記メディアを搬送方向に搬送するグリッドローラーとを備えたプラテン装置であって、
前記グリッドローラーを回転自在に支持する支持部材を備え、
その支持部材は、その支持部材における前記搬送方向上流側端部に設けられるリアエプロン支持部を備え、
前記リアエプロンは、前記リアエプロン支持部と係合する差し込み部を備え、
前記リアエプロンの前記差し込み部を前記支持部材に係合して、前記支持部材に前記リアエプロンを支持させる
ことを特徴とするプラテン装置。
【請求項２】
請求項１に記載のプラテン装置において、
前記リアエプロンは、前記差し込み部に並設されるとともに前記グリッドローラーの周面に近接して配置される塞ぎ部を備え、
前記支持部材の前記リアエプロン支持部が、前記リアエプロンの前記塞ぎ部と前記差し込み部とにより狭持される
ことを特徴とするプラテン装置。
【請求項３】
請求項１または２のいずれか１項に記載のプラテン装置において、
前記支持部材は、前記搬送方向下流側に前記ベッドの前記搬送方向上流側の端部を支持するベッド支持部を備え、
前記ベッドの前記搬送方向上流側の端部が、前記支持部材の前記ベッド支持部により支持される
ことを特徴とするプラテン装置。
【請求項４】
請求項１、２または３のいずれか１項に記載のプラテン装置において、
前記リアエプロンの下方側において、上方側に立設された縦壁と前記縦壁の上方側端部に配設された遮蔽部材とを備え、
前記リアエプロンが前記支持部材に係合する際に、前記リアエプロンの下面により前記遮蔽部材が付勢される
ことを特徴とするプラテン装置。
【請求項５】
請求項４に記載のプラテン装置において、
前記遮蔽部材は、弾性変形する材料により形成された
ことを特徴とするプラテン装置。
【発明の詳細な説明】
【技術分野】
【０００１】
本発明は、プラテン装置に関し、さらに詳細には、インクジェットプリンタやカッティングプロッタなどにおけるメディアの搬送に用いられるプラテン装置に関する。
【０００２】
なお、本明細書において「メディア」とは、普通紙などの紙類よりなる各種の記録媒体は勿論のこと、ＰＶＣ、ポリエステルなどの樹脂材料などのような各種の材料よりなるものも含まれるものとする。
【背景技術】
【０００３】
一般に、インクジェットプリンタやカッティングプロッタなどにおけるメディアの搬送に用いられるプラテン装置は、インクジェットプリンタのインクジェットヘッドやカッティングプロッタのカッティングヘッドと対向して、当該インクジェットヘッドやカッティングヘッドの下方側に配置された表面が平坦なフラットベッドと、フラットベッドに対してメディアを搬送する際の搬送方向における搬送の起点側において当該フラットベッドに接続されて、当該メディアをフラットベッド上にガイドするリアエプロンとを備えている。
【０００４】
なお、本明細書においては、メディアを搬送する際の「搬送方向」を「副走査方向」と適宜に称し、「搬送方向と直交する方向」、即ち、「副走査方向と直交する方向」を「主走査方向」と適宜に称する。
【０００５】
また、本明細書においては、搬送方向における搬送の起点側を「搬送方向上流側」または「副走査方向上流側」と適宜に称し、一方、搬送方向における搬送の終点側を「搬送方向下流側」または「副走査方向下流側」と適宜に称する。
【０００６】
こうしたプラテン装置においては、駆動ローラーたるグリッドローラーとピンチローラーとにより構成される搬送機構が、主走査方向および副走査方向に延設された平板状のフラットベッドにおける当該副走査方向の略中心位置に、当該主走査方向に沿って適宜の間隔を開けて直線状に複数配設されている。
【０００７】
搬送機構を構成するグリッドローラーは、円筒状のローラー軸とそのローラー軸から径方法に突出した状態で外嵌されるローラー部材とそのローラー部材の外周面に設けられた摩擦部材とで構成されており、フラットベッドの下方側において、フラットベッドに形成された孔部からグリッドローラー（ローラー部材）の上方部位を上方側へ突出させるようにして配置されている。また、グリッドローラーは、モーターの駆動により回転するように構成されている。
【０００８】
一方、ピンチローラーは、グリッドローラーの上方に配置され、当該グリッドローラーと当接する方向に常時付勢されている。
【０００９】
従って、グリッドローラーとピンチローラーとの間に挟持されたメディアは、グリッドローラーを回転することにより搬送方向に搬送される。
【００１０】
メディアをフラットベッドへ案内するためのリアエプロンは、主走査方向においてはフラットベッドと略同一の長さを備え、副走査方向においては適宜の長さを備えている。また、リアエプロンは、副走査方向において、副走査方向下流側から副走査方向上流側に向けて徐々に下方に湾曲する形状を備えている。
【００１１】
従来、上記したようなプラテン装置においては、例えば、実公平６−５９１９号公報などに示すように、フラットベッドの副走査方向上流側の端部にリアエプロンの副走査方向下流側の端部を結合することにより、フラットベッドへメディアをガイドするリアエプロンの取り付けをおこなっていた。
【００１２】
ところで、上記した従来のプラテン装置においては、フラットベッドにおけるローラー部材に対応する部位に孔部を形成し、この孔部の下方側にグリッドローラーを配置して、当該孔部からグリッドローラーの一部を上方側へ突出させることにより、グリッドローラーとピンチローラーとの当接を図っていた。
【００１３】
しかしながら、グリットローラのコスト低減を図ることを目的として、ローラー部材を介さずに摩擦部材をローラー軸の周面に設ける手法が提案されている。
【００１４】
即ち、主走査方向に沿って一本の軸状に形成された円筒状のローラー軸の外周面に摩擦部材を設けることで、グリッドローラーをローラー軸から径方法に突出させない状態でフラットベッドの副走査方向上流側の端部に沿って配設する手法が提案されている。
【００１５】
ところが、この手法では、グリッドローラーがローラー軸から径方法に突出させない状態で配置されるので、フラットベッドを副走査方向で短縮化し、グリッドローラーを外部に露出させることでグリッドローラーとピンチローラーとの当接を図る必要があった。
この場合は、フラットベッドがフラットベッド副走査方向で短縮化されているため、フラットベッドの副走査方向上流側の端部にリアエプロンの副走査方向下流側の端部を簡単には結合することができず、フラットベッドへメディアをガイドするリアエプロンの取り付けが困難であるというという問題点があった。
【先行技術文献】
【特許文献】
【００１６】
【特許文献１】実公平６−５９１９号公報
【発明の概要】
【発明が解決しようとする課題】
【００１７】
本発明は、上記したような従来の技術の有する種々の問題点や要望に鑑みてなされたものであり、その目的とするところは、ベッドの搬送方向上流側の端部とリアエプロンの搬送方向下流側の端部との間にグリッドローラーが配置されるプラテン装置において、簡潔な構成よりリアエプロンを容易に取り付けることのできるプラテン装置を提供しようとするものである。
【課題を解決するための手段】
【００１８】
上記目的を達成するために、本発明は、メディアが配置されるベッドと、そのベッドへ上記メディアを案内するリアエプロンと、上記ベッドのメディアの搬送方向上流側の端部と上記リアエプロンの上記メディアの搬送方向下流側の端部との間に配置され上記メディアを搬送方向に搬送するグリッドローラーとを備えたプラテン装置であって、上記グリッドローラーを回転自在に支持する支持部材を備え、その支持部材は、その支持部材における上記搬送方向上流側端部に設けられるリアエプロン支持部を備え、上記リアエプロンは、上記リアエプロン支持部と係合する差し込み部を備え、上記リアエプロンの上記差し込み部を上記支持部材に係合して、上記支持部材に上記リアエプロンを支持させるようにしたものである。
【００１９】
従って、上記した本発明によれば、差し込み部をリアエプロン支持部に係合することにより、簡単にリアエプロンを支持部材で支持できるとともに、塞ぎ部によりメディアがグリッドローラーとリアエプロンとの隙間に落ち込むことを防止することができる。
【００２０】
また、本発明は、上記した本発明において、上記リアエプロンは、上記差し込み部に並設されるとともに上記グリッドローラーの周面に近接して配置される塞ぎ部を備え、上記支持部材の上記リアエプロン支持部が、上記リアエプロンの上記塞ぎ部と上記差し込み部とにより狭持されるようにしたものである。
【００２１】
従って、上記した本発明によれば、塞ぎ部と差し込み部との間にリアエプロン支持部が狭持されるので、リアエプロンを確実に支持部材で支持できるようになる。
【００２２】
また、本発明は、上記した本発明において、上記支持部材は、上記搬送方向下流側に上記ベッドの上記搬送方向上流側の端部を支持するベッド支持部を備え、上記ベッドの上記搬送方向上流側の端部が、上記支持部材の上記ベッド支持部により支持されるようにしたものである。
【００２３】
従って、上記した本発明によれば、支持部材におけるリアエプロン支持部とベッド支持部との高さ方向の寸法の設定を適宜に行うことにより、ベッドとリアエプロンとの高方向の位置関係を適宜に調整することができる。
【００２４】
また、本発明は、上記した本発明において、上記リアエプロンの下方側において、上方側に立設された縦壁と上記縦壁の上方側端部に配設された遮蔽部材とを備え、上記リアエプロンが上記支持部材に係合する際に、上記リアエプロンの下面により上記遮蔽部材が付勢されるようにしたものである。
【００２５】
従って、上記した本発明によれば、縦壁ならびに遮蔽部材の高さ方向の寸法を調整することにより、リアエプロンの下面における空気の流れを遮断することができるようになる。
【００２６】
また、本発明は、上記した本発明において、上記遮蔽部材は、弾性変形する材料により形成されるようにしたものである。
【発明の効果】
【００２７】
本発明によれば、ベッドの搬送方向上流側の端部とリアエプロンの搬送方向下流側の端部との間にグリッドローラーが配置されるプラテン装置において、簡潔な構成よりリアエプロンを容易に取り付けることができるようになる。
【図面の簡単な説明】
【００２８】
【図１】図１は、本発明によるプラテン装置の実施の形態の一例をあらわす斜視構成説明図である。
【図２】図２は、図１に示すプラテン装置の部分拡大図である。
【図３】図３は、図１のＡ−Ａ線による端面構成を模式的に示した説明図である。
【図４】図４は、図３の要部拡大説明図である。
【図５】図５は、フレーム部材の斜視構成説明図である。
【図６】図６（ａ）（ｂ）（ｃ）は、プラテン装置において、フラットベッド、リアエプロンおよびフロントエプロンを取り外した状態における要部概略斜視構成説明図である。
【図７】図７（ａ）は、支持部材のうちの端部支持部材の斜視構成説明図であり、また、図７（ｂ）は、端部支持部材へのフラットベッドおよびリアエプロンの取り付け状態を示す説明図である。
【図８】図８（ａ）（ｂ）は、端部支持部材へのフラットベッドおよびリアエプロンの取り付け状態を示す説明図である。
【図９】図９（ａ）は、支持部材のうちの中間部支持部材の斜視構成説明図であり、また、図９（ｂ）は、中間部支持部材へのフラットベッドおよびリアエプロンの取り付け状態を示す説明図である。
【発明を実施するための形態】
【００２９】
以下、添付の図面を参照しながら、本発明によるプラテン装置の実施の形態の一例を詳細に説明するものとする。
【００３０】
図１には本発明によるプラテン装置の実施の形態の一例をあらわす斜視構成説明図が示されており、また、図２には図１に示すプラテン装置の部分拡大図が示されており、図３には図１のＡ−Ａ線による端面構成を模式的に示した説明図が示されており、図４には図３の要部拡大説明図が示されている。なお、図３および図４における主走査方向は、紙面から垂直方向に延長する方向である。
【００３１】
図１〜３に示すように、このプラテン装置１０は、インクジェットヘッドやカッティングヘッドの下方側において固定系のフレーム部材１２に配設されたフラットベッド１４と、フラットベッド１４の副走査方向上流側端部１４ａ近傍においてフレーム部材１２に配設された支持部材１６と、支持部材１６に回転自在に支持されるとともに主走査方向に延設された一本の軸状のグリッドローラー１８と、支持部材１６の副走査方向上流側に配置されたリアエプロン２０と、フラットベッド１４の副走査方向下流側端部１４ｂに結合されたフロントエプロン２４とを有して構成されている。
【００３２】
なお、フラットベッドとは、表面がフラット、即ち、水平面であればよく、裏面は水平面でなくてもよい。但し、本実施の形態におけるフラットベッド１４は、表面だけではなく、裏面も水平面とされている。
【００３３】
さらに、図３に示すように、プラテン装置１０は、フレーム部材１２におけるフラットベッド１４の副走査方向上流側、より具体的には、リアエプロン２０の下方側にフレーム部材１２から上方側に立設された縦壁２６を備えており、この縦壁２６の上方側端部には、スポンジなどの弾性変形する材料により形成された遮蔽部材２８が取り付けられている。
【００３４】
この縦壁２６と遮蔽部材２８とは、後述する方法により支持部材１６にリアエプロン２０を取り付けた際に、リアエプロン２０の下面２０ａにより遮蔽部材２８が付勢されて弾性変形し、リアエプロン２０の下面２０ａと遮蔽部材２８とが圧接するように寸法設定されている。
【００３５】
図１〜２に示すように、グリッドローラー１８は、プラテン装置１０の主走査方向における全長と略一致する長さを備えている。なお、符号１８ａは、メディアを搬送する際の摩擦抵抗を向上させるためにローラー軸の外周面に配設された摩擦部材（ゴム）であり、間隔を空けて複数箇所に設けられている。また、符号１８ｂは、駆動源であるモーター（図示せず。）に接続されるドライブシャフトであり、モーターによりドライブシャフト１８ｂを回転することにより、グリッドローラー１８が回転する。
【００３６】
図５には、フレーム部材１２の斜視構成説明図が示されている。フレーム部材１２には、貫通孔１２ａが複数形成されており、貫通孔１２ａの下方にはファン３０が配設されている。
【００３７】
また、フラットベッド１４には、主走査方向に沿って当該主走査方向の略全域にわたって、小径の貫通孔１４ｃが多数穿設されている。
【００３８】
従って、ファン３０が駆動して回転すると、その回転にともなう空気流によって、貫通孔１２ａおよび貫通孔１４ｃを介してフラットベッド１４上に位置するメディアを吸引することができる。この吸引によりフラットベッド１４上にメディアを安定して配置することができ、インクジェットヘッドやカッティングヘッドにより品質の高い印刷やカッティングを行うことができる。
【００３９】
ここで、フラットベッド１４は、グリッドローラーを配置するため副走査方向に短縮化されている点を除いて、従来のフラットベッドの構造と同様であるので、その詳細な説明は省略する。
【００４０】
また、フレーム部材１２ならびにフロントエプロン２０の構成およびフロントエプロン２０をフラットベッド１４の副走査方向下流側端部１４ｂに結合する構成についても、従来の技術と同様であるので、その詳細な説明は省略する。
【００４１】
図６（ａ）（ｂ）（ｃ）には、プラテン装置１０において、フラットベッド１４、リアエプロン２０およびフロントエプロン２４を取り外した状態における要部概略斜視構成説明図が示されている。
【００４２】
図７（ａ）には支持部材１６のうちの端部支持部材１６ａ（後述する）の斜視構成説明図が示されており、また、図７（ｂ）および図８（ａ）（ｂ）には端部支持部材１６ａへのフラットベッド１４およびリアエプロン２０の取り付け状態が示されている。
【００４３】
図９（ａ）には支持部材１６のうちの中間部支持部材１６ｂ（後述する）の斜視構成説明図が示されており、また、図９（ｂ）には中間部支持部材１６ｂへのフラットベッド１４およびリアエプロン２０の取り付け状態が示されている。
【００４４】
以下、図６〜９を参照しながら、支持部材１６ならびにリアエプロン２０の構造にについて詳細に説明する。
【００４５】
まず、図６に示すように、支持部材１６は、フラットベッド１４の副走査方向上流側端部１４ａ近傍において、主走査方向の両端部に配設された一対の端部支持部材１６ａと、フラットベッド１４の副走査方向上流側端部１４ａ近傍において一対の支持部材１６ａの間に配置された複数の中間部支持部材１６ｂとよりなる。
【００４６】
これら、端部支持部材１６ａと中間部支持部材１６ｂとは、その要部構成は同一であるが、グリッドローラー１８を支持するための構成が異なる。
【００４７】
以下においては、端部支持部材１６ａと中間部支持部材１６ｂとの構成についてそれぞれ説明する。
【００４８】
図7〜８に示すように、端部支持部材１６ａであるが、フレーム部材１２に固定される底部１６ａ−１と、底部１６ａ−１における副走査方向上流側の端部から立ち上がり形成された副走査方向上流側立設部１６ａ−２と、底部１６ａ−１における副走査方向下流側の端部から立ち上がり形成された副走査方向下流側立設部１６ａ−３と、底部１６ａ−１における副走査方向の略中間位置から立ち上がり形成された補強部１６ａ−４と、副走査方向上流側立設部１６ａ−２と副走査方向下流側立設部１６ａ−３と補強部１６ａ−４とにより支持された円環状のベアリング配設部１６ａ−５と、ベアリング配設部１６ａ−５内に配置された円環状のベアリング１６ａ−６とを有して構成されている。
【００４９】
ベアリング配設部１６ａ−５における副走査方向上流側立設部１６ａ−２に隣接する領域には、副走査方向上流側に向けて略水平に突出するリアエプロン支持部１６ａ−７が形成されている。なお、リアエプロン支持部１６ａ−７は後述するフラットベッド支持部１６ａ−８よりも上方に突設されている。
【００５０】
また、副走査方向下流側立設部１６ａ−３の上面には、フラットベッド１４の副走査方向上流側端部１４ａを載置して固定するためのフラットベッド支持部１６ａ−８が形成されている。
【００５１】
グリッドローラー１８の両端部は、一対の端部支持部材１６ａのベアリング１６ａ−６によって回転自在にそれぞれ支持される。
【００５２】
次に、図９に示すように、中間部支持部材１６ｂであるが、フレーム部材１２に固定される底部１６ｂ−１と、底部１６ｂ−１における副走査方向上流側の端部から立ち上がり形成された副走査方向上流側立設部１６ｂ−２と、底部１６ｂ−１における副走査方向下流側の端部から立ち上がり形成された副走査方向下流側立設部１６ｂ−３と、底部１６ｂ−１における副走査方向の略中間位置から立ち上がり形成された補強部１６ｂ−４とを有する。
【００５３】
また、中間部支持部材１６ｂは、副走査方向上流側立設部１６ｂ−２と副走査方向下流側立設部１６ｂ−３と補強部１６ｂ−４とにより支持された側壁部１６ｂ−５を備え、この側壁部１６ｂ−５に一対のローラー１６ｂ−６が回転自在に配置されている。
【００５４】
グリッドローラー１８の中間部は、この一対のローラー１６ｂ−６上に回転自在に支持される。
【００５５】
さらに、副走査方向上流側立設部１６ｂ−２の上部には、端部支持部材１６ａのリアエプロン支持部１６ａ−７が配設された上下方向における位置と同じ位置に、副走査方向上流側に向けて略水平に突出するリアエプロン支持部１６ｂ−７が形成されている。なお、リアエプロン支持部１６ｂ−７は後述するフラットベッド支持部１６ｂ−８よりも上方に突設されている。
【００５６】
また、副走査方向下流側立設部１６ｂ−３の上面には、フラットベッド１４の副走査方向下流側端部１４ａを載置して固定するためのフラットベッド支持部１６ｂ−８が形成されている。
【００５７】
次に、図７〜９に示すように、リアエプロン２０は、その副走査方向下流側端部２０ｂに、リアエプロン２０がプラテン装置１０の構成部材として組み込まれた際に、グリッドローラー１８の周面に近接して配置される塞ぎ部２０ｃと、塞ぎ部２０ｃの先端側に下方側に若干屈曲される先端部２０ｄとが形成されている。塞ぎ部２０ｃは端部支持部材１６ａの副走査方向上流側立設部１６ａ−２及び中間部支持部材１６ｂの副走査方向上流側立設部１６ｂ−２よりも副走査方向における上流側まで延設されており、先端部２０ｄはさらにグリットローラ１０の軸心方向から視て（図４参照）上下方向（図４における上下方向）でグリットローラ１０と上下方向で重なる位置まで延設されている。
【００５８】
塞ぎ部２０ｃには、端部支持部材１６ａ及び中間部支持部材１６ｂと上下方向で重なる部分に、フラットベッド支持部１６ａ−８及びフラットベッド支持部１６ｂ−８の上面に当接する当接部２０ｃ−１が設けられている。また、この塞ぎ部２０ｃには、その一部領域が切り欠かれて下方に折り曲げられて形成された差し込み部２０ｅが設けられている。
【００５９】
従って、塞ぎ部２０ｃと差し込み部２０ｅとは、リアエプロン２０の副走査方向下流側端部２０ｂに主走査方向に沿って並設されている。
【００６０】
この塞ぎ部２０ｃの当接部２０ｃ−１と差し込み部２０ｅとは、後述するように、フレーム部材１２上に端部支持部材１６ａおよび中間部支持部材１６ｂを取り付けて、端部支持部材１６ａおよび中間部支持部材１６ｂにリアエプロン２０を取り付ける際に、リアエプロン支持部１６ａ−７、１６ｂ−７が塞ぎ部２０ｃの当接部２０ｃ−１と差し込み部２０ｅとの間に狭持されるように寸法設定されている。
【００６１】
なお、リアエプロン２０は、副走査方向下流側端部２０ｂに塞ぎ部２０ｃ、先端部２０ｄおよび差し込み部２０ｅが形成されている点を除いて、従来のリアエプロンと同様な構成であるので、その他の詳細な説明は省略する。
【００６２】
以上の構成において、フラットベッド装置１０を組み付ける方法の一例について説明する。
【００６３】
まず、グリッドローラー１８の両端部を一対の端部支持部材１６ａのベアリング１６ａ−６によって回転自在に支持するとともに、グリッドローラー１８の中間部を中間部支持部材１６ｂの一対のローラー１６ｂ−６上に回転自在に支持した状態で、ビスやネジなどの結合部材を用いて、フレーム部材１２上の予め設定された位置に端部支持部材１６ａと中間部支持部材１６ｂとをそれぞれ固定する。
【００６４】
次に、フラットベッド１４の副走査方向上流側端部１４ａを、端部支持部材１６ａのフラットベッド支持部１６ａ−８と中間部支持部材１６ｂのフラットベッド支持部１６ｂ−８との上に載置し、ビスやネジなどの結合部材を用いてフラットベッド支持部１６ａ−８、１６ｂ−８上に固定する。
【００６５】
これにより、フラットベッド１４の副走査方向下流側端部１４ａが、グリッドローラー１８の周面に近接して配置されることになる。
【００６６】
なお、フラットベッド１４の副走査方向下流側端部１４ｂには、公知の手法によりフロントエプロン２４を取り付け、フロントエプロン２４は公知の手法により固定系部材に固定すればよい。
【００６７】
次に、リアエプロン２０の差し込み部２０ｅを端部支持部材１６ａと中間部支持部材１６ｂとに係合して、端部支持部材１６ａと中間部支持部材１６ｂとにリアエプロン２０を支持させる。
【００６８】
より詳細には、リアエプロン２０の塞ぎ部２０ｃと差し込み部２０ｅとの間にリアエプロン支持部１６ａ−７、１６ｂ−７が狭持されるようにして、リアエプロン２０を端部支持部材１６ａと中間部支持部材１６ｂとに支持させる。
【００６９】
これにより、リアエプロン２０の塞ぎ部２０ｃの当接部２０ｃ−１が、グリッドローラー１８の周面に近接して配置されることになる。
【００７０】
なお、リアエプロン２０の副走査方向上流側端部は、公知の手法により固定系部材に固定すればよい。
【００７１】
また、リアエプロン２０を端部支持部材１６ａと中間部支持部材１６ｂとに支持させて固定する際には、リアエプロン２０の下面２０ａにより遮蔽部材２８が付勢されて弾性変形し、リアエプロン２０の下面２０ａと遮蔽部材２８とが圧接するようになる。
【００７２】
これにより、縦壁２６ならびに遮蔽部材２８によって、リアエプロン２０の下面２０ａにおける空気の流れを概ね遮断することができるようになるので、ファン３０によるメディアの吸引力を安定して発揮させることができるようになる。
【００７３】
従って、プラテン装置１０においては、差し込み部２０ｅをリアエプロン支持部１６ａ−７、１６ｂ−７に係合することにより、簡単にリアエプロン２０を支持部材１６で支持できるとともに、塞ぎ部２０ｃによりメディアがグリッドローラー１８とリアエプロン２０との隙間に落ち込むことを防止することができる。
【００７４】
より詳細には、塞ぎ部２０ｃの当接部２０ｃ−１と差し込み部２０ｅとの間にリアエプロン支持部１６ａ−７、１６ｂ−７が狭持されるので、リアエプロン２０を確実に支持部材１６で支持できるようになる。
【００７５】
また、プラテン装置１０においては、端部支持部材１６ａと中間部支持部材１６ｂとにおけるリアエプロン支持部１６ａ−７、１６ｂ−７とフラットベッド支持部１６ａ−８、１６ｂ−８との高さ方向の寸法の設定を適宜に行うことにより、フラットベッド１４とリアエプロン２０との高方向の位置関係を適宜に調整することができる。
【００７６】
これにより、リアエプロン２０からフラットベッド１４へのスムーズなメディアの搬送を確保することができる。
【００７７】
さらに、プラテン装置１０においては、縦壁２６ならびに遮蔽部材２８の高さ方向の寸法を調整することにより、リアエプロン２０の下面２０ａにおける空気の流れを一層確実に遮断することができるようになる。
【００７８】
以上において説明したように、本発明によるプラテン装置１０は、リアエプロン２０の塞ぎ部をリアエプロン支持部１６ａ−７、１６ｂ−７に挿入するという簡潔な構成により、端部支持部材１６ａと中間部支持部材１６ｂとにリアエプロン２０を容易に取り付けることができるようになる。
【００７９】
なお、上記した実施の形態は、以下の（１）乃至（４）に示すように変形するようにしてもよい。
【００８０】
（１）上記した実施の形態においては、フラットベッド１４にフロントエプロン２４を取り付けた場合について説明したが、これに限られるものではないことは勿論であり、フラットベッド１４にはフロントエプロン２４を取り付けなくてもよい。
【００８１】
（２）上記した実施の形態においては、ファン３０によりフラットベッド１４上のメディアを吸引する場合について説明したが、これに限られるものではないことは勿論であり、フラットベッド１４上のメディア吸引する構成を備えていなくともよい。即ち、プラテン装置１０は、フラットベッド１４に形成された貫通孔１４ｃ、フレーム部材１２に形成された貫通孔１２ａ、ファン３０、縦壁２６ならびに緩衝部材２８を備えていなくてもよい。
【００８２】
（３）上記した実施の形態においては、主走査方向において中間部支持部材１６ｂを配置する際の配置位置や配置数については詳細な説明を省略したが、中間部支持部材１６ｂは各種の設計条件を勘案して配置位置や配置数を適宜に決定すればよい。
【００８３】
（４）上記した実施の形態ならびに上記した（１）乃至（３）に示す変形例は、適宜に組み合わせるようにしてもよい。
【産業上の利用可能性】
【００８４】
本発明は、インクジェットプリンタやカッティングプロッタなどのような各種装置におけるプラテン装置として利用することができる。
【符号の説明】
【００８５】
１０  プラテン装置、１２  フレーム部材、１２ａ  貫通孔、１４  フラットベッド（ベッド）、１４ｃ  貫通孔、１６  支持部材、１６ａ  端部支持部材、１６ｂ  中間部支持部材、１６ａ−７  リアエプロン支持部、１６ｂ−７  リアエプロン支持部、１６ａ−８  フラットベッド支持部、１６ｂ−８  フラットベッド支持部、１８  グリッドローラー、２０  リアエプロン、２０ｃ  塞ぎ部、２０ｃ−１  当接部（塞ぎ部）、  ２０ｅ  差し込み部、２４  フロントエプロン、２６  縦壁、２８  遮蔽部材、３０  ファン
【図１】
2018008460.tif 000003
【図２】
2018008460.tif 000004
【図３】
2018008460.tif 000005
【図４】
2018008460.tif 000006
【図５】
2018008460.tif 000007
【図６】
2018008460.tif 000008
【図７】
2018008460.tif 000009
【図８】
2018008460.tif 000010
【図９】
2018008460.tif 000011